(57)【要約】      （修正有）【課題】安全ベルト用のロリップを一対の脚柱のいずれかの頂部に連結したガイドロープに掛け、梯子昇降動作において、踏み桟連結具による踏み桟ごとの掛け外しを皆無にする、また足場等への梯子固定連結をワンタッチで連結する機構により迅速確実安全に可能にした軽量堅牢で便利で且つ安全な梯子を提供する。【解決手段】一対の脚柱１，２と、脚柱間に渡した所定幅の踏み桟３と、被連結パイプに連結するパイプ連結具１０を備えた梯子Ｈである。脚柱１，２に安全ベルト用のロリップ５を連結するガイドロープ６を着脱可能に連結し、両脚柱１，２の各々に所定間隔で複数の支持アーム７を着脱可能に装着し、前記支持アーム７を介して当該脚柱１，２と平行にした手摺りパイプ８を連結した。【選択図】図１
0003185370.tif 000002
【実用新案登録請求の範囲】
【請求項１】
一対の脚柱（１，２）と、脚柱間に渡した所定幅の踏み桟（３）と、被連結パイプ（４）に連結するパイプ連結具（１０）を備えた梯子（Ｈ）において、前記脚柱（１，２）に安全ベルト用のロリップ（５）を連結するガイドロープ（６）を着脱可能に連結し、両脚柱（１，２）の各々に所定間隔で複数の支持アーム（７）を着脱可能に装着し、前記支持アーム（７）を介して当該脚柱（１，２）と平行にした手摺りパイプ（８）を連結したことを特徴とする梯子。
【考案の詳細な説明】
【技術分野】
【０００１】  本考案は、各種建設作業、植木剪定作業等に、安全に且つ作業効率を高めて利用することを可能にした梯子に関するものである。
【背景技術】
【０００２】  例えば建設現場に建造作業では予め足場を構築し、各階に亘るエレベータを資材搬送、作業員搬送用に設置するが、上下の足場間にわたす梯子も作業者の重要なアイテムとして活用されている。【０００３】  梯子を扱い利用する場合は、梯子を利用する作業者の基本的な訓練と心得は一般公知の使用基準を厳守することが肝要であることは言うまでもない。
例えば、足元の支え状態の確認、梯子の固定状態の確認、梯子の鉛直状態の確認、作業位置の確認、横向き作業の回避、片手作業の回避、工具の肩掛けベルトの使用等々である。【０００４】梯子の一般構成は、一対の脚柱、脚柱間に渡した所定幅の踏み桟（ふみせん）、脚柱上下端の保護と滑り止めのための脚端具とからなる。これ等の構造部は所定の相対関係で形成され且つその構造体形状を崩さないように堅牢強固なものにしてある。
そして梯子の安全基準は（安全対策）としては一般に、梯子の脚柱の固定具の堅牢化、手摺りの設置、踏み外し転落防止用の安全ベルトの使用等である。【０００５】  従来、梯子を足場に固定するには、番線で括りつけるのが普通である。手摺りは梯子の頂部域の両側にのみ固定設置していた。安全ベルトの使用は、安全ベルトに連結したフックやクリップ、クランプなどの踏み桟連結具を各踏み桟ごとに掛け外ししながら昇降する。休憩箇所の設置は適宜ありあわせの渡し板を足場との間に掛けていた。
特に安全ベルトの使用は、繁雑な作業を伴い作業効率を著しく低下させる。
【考案の概要】
【考案が解決しようとする課題】
【０００６】本考案は、安全ベルト用のロリップを一対の脚柱のいずれかの頂部に連結したガイドロープに掛け、梯子昇降動作において、踏み桟連結具による踏み桟ごとの掛け外しを皆無にする、また足場等への梯子固定連結をワンタッチで連結する機構により迅速確実安全に可能にした軽量堅牢で便利で且つ安全な合理的梯子を提供するものである。
【課題を解決するための手段】
【０００７】上記課題を満足させる本考案の基本的な技術構成は、次の（１）の通りである。
（１）、一対の脚柱１，２と、脚柱間に渡した所定幅の踏み桟３と、被連結パイプ４に連結するパイプ連結具１０を備えた梯子Ｈにおいて、前記脚柱１，２に安全ベルト用のロリップ５を連結するガイドロープ６を着脱可能に連結し、両脚柱１，２の各々に所定間隔で複数の支持アーム７を着脱可能に装着し、前記支持アーム７を介して当該脚柱１，２と平行にした手摺りパイプ８を連結したことを特徴とする梯子。【０００８】（２）、支持アーム７と両脚柱１，２との連結は、支持アーム７の前端部にパイプクランプ７ａを設け、このパイプクランプ７ａを踏み桟３内に貫通したリンクパイプ７ｂの両側にクランプ連結したことを特徴とする梯子。
【考案の効果】
【０００９】本考案の梯子Ｈは、安全ベルトの使用による梯子Ｈの昇降動作は、梯子Ｈの脚柱１，２に連結した一本又は一対のガイドロープ６にロリップ５（ガイドロープ連結具）を装着し、このロリップ５を安全ベルトに連結するのみで、登り作業は、ガイドロープ６に沿ってロリップ５を牽引移動させながら、その途中でいつ下降力が作用しても直ちにガイドロープ６を噛み込みロリップ５の滑り下降を阻止して、ロリップ５を介して安全ベルトをした作業者の転落を確実に防止する。
また下降作業中において、踏み桟３への移行中はロリップ５に下方牽引力を加えてガイドロープ６を噛み込ませて行い、次の踏み桟３への移行直前に該下方牽引力を緩めてガイドロープ６の噛み込を解除しロリップ５の下方位置移動を行うことを左右交互に順次行って下降作業の安全性を確保するものである。
これにより本考案の梯子Ｈは、従来の踏み桟３ごとの安全ベルトの連結具の掛け外し作業を皆無にする。
また本考案の梯子Ｈは、足場等の構築パイプ４（被連結パイプ）への梯子Ｈの固定連結とその解除を前記パイプ連結具１０により迅速確実安全に可能にしたものである。
これらにより本考案の梯子Ｈを使用しての作業効率を大幅に向上改善したものである。
また手摺りパイプ８は梯子Ｈの長さに応じて一体に又は分割して支持アーム７を介して脚柱１，２の前面近傍に配置することにより梯子全体の小型軽量化を有利に可能にしたものである。
【図面の簡単な説明】
【００１０】
【図１】本考案の実施例１を示し縦にして置いた梯子Ｈの一部断面の正面説明図である。
【図２】図１の矢視Ａ−Ａからの側面説明図でありガイドロープを省略してある。
【考案を実施するための形態】
【００１１】本考案を実施するための形態は、次の実施例１により詳細に説明する。
【実施例１】
【００１２】実施例１を図１〜図２と共に説明する。
本例の梯子Ｈは、下端部に脚端具ＨＦを有する一対の脚柱１，２と、脚柱１，２間に渡した踏み桟３と、パイプ連結具１０と、ロリップ５のガイドロープ６と、二段に分割した支持アーム７付手摺りパイプ８とからなる。【００１３】梯子全体はアルミや鉄等の金属製である。脚柱１，２は、横断面形状が外側に開口したコ型にして軽量堅牢化を図っている。
脚柱１，２間に渡した踏み桟３は、所定径の中空パイプを用いて脚柱１，２の長手方向に所定間隔で溶接固定配置し、外周面に滑り止めの溝型エンボス加工をしてある。【００１４】パイプ連結具１０は、前記両脚柱１，２の上端部と中間部と下端部における各々に取り付けられ、連結パイプ１１と、この連結パイプ１１の両側部を固定支持する角型アーム１２と、角型アーム１２を支持し脚柱１，２にボルト連結する部材１３と、パイプ足場などの被連結パイプ４及び連結パイプ１１の両方にボルト１４ａとナット１４ｂで締めて連結するダブルクランプ１４とからなる。【００１５】二段にした支持アーム７付手摺りパイプ８は、脚柱１，２毎に設置し、それぞれ支持アーム７で当該脚柱１，２の側部に連結する。
各支持アーム７と当該脚柱１，２との連結は、支持アーム７の前端部にシングルのパイプクランプ７ａを設け、当該脚柱１，２の外側面に露呈する踏み桟３の端部開口部３ａから貫通したリンクパイプ７ｂの両側にパイプクランプ７ａをボルト７ａ−１とナット７ａ−２により着脱可能にクランプ連結する。【００１６】支持アーム７付の手摺りパイプ８は、脚柱１，２の長手方向に分割して装着してあるが梯子Ｈが短尺の場合は遇えて分割する必要が無い。【００１７】ロリップ５は、ガイドロープ挟持部５ａにガイドロープ８を挿入して、挿入したロープ部は挟持歯での噛み込とその解除を可能にした公知のものである。
ロリップ５はガイドロープ挟持部５ａに、前記挟持歯のロープ噛み込と解除をする操作リング５ｂを付設し、操作リング５ｂは連結ロープ５ｃを連結し、この連結ロープ５ｃを安全ベルトに連結するフック５ｄを連結してある。
梯子Ｈを登る作業者は、装着した安全ベルトの連結リングに予めフック５ｄを連結しておくものである。【００１８】ガイドロープ６は、両端部にフック６ａ，６ｂ設け、このフック６ａ，６ｂを前記脚柱１，２の上下端部に設けた連結リング６ｃ，６ｂ掛けて張設し、安全ベルト用のロリップ５を着脱可能に連結してある。
【産業上の利用可能性】
【００１９】  本考案は前記した優れた作用効果を呈するものである。このため、各種建設業界及び植木剪定等の造園業界に貢献すること多大なものがある。
【符号の説明】
【００２０】Ｈ：梯子
１，２：脚柱
３：踏み桟
３ａ：端部開口部
５：ロリップ
５ａ：ガイドロープ挟持部
５ｂ：操作リング
５ｃ：連結ロープ
５ｄ：フック
６：ガイドロープ
６ｄ：フック
６ａ，６ｂ：連結リング
７：支持アーム
７ａ：パイプクランプ
７ｂ：リンクパイプ
８：付手摺りパイプ
１０：パイプ連結具
１１：連結パイプ
１２：角型アーム
１３：部材
１４：ダブルクランプ
【図１】
0003185370.tif 000003
【図２】
0003185370.tif 000004